(57)【特許請求の範囲】
【請求項１】
ボトルなどの複数の異なった大きさの物品に適用される頂部把持式の物品キャリアであって、そのカートンは、それぞれに一つの物品を収容する整列した複数の筒状セクションを形成する第１、第２側パネル（12、16）とこれら側パネルを連結するベースパネル（14）とを備え、上記第１側パネルは一対の開口（50、52）を備え、上記第２側パネルは第１側パネルの開口にそれぞれ合致する開口（60、62）を備え、上記第１、第２側パネルの対応した開口対の少なくとも一端縁は、所定の操作によってベースパネルを通過する物品（Ｂ）の首部を係合および支持可能とし、さらに、筒状セクションの少なくとも一つは、隣接した筒状セクションと異なる大きさを有することを特徴とする物品キャリア。
【請求項２】
前記の筒状セクションの少なくとも一つの底部は、隣接した筒状セクションの底部と異なる大きさを有することを特徴とする請求項１に記載のキャリア。
【請求項３】
前記の筒状セクションの少なくとも一つの側パネルは、隣接した筒状セクションの側パネルと異なる大きさを有することを特徴とする請求項１また２に記載のキャリア。
【請求項４】
前記筒状セクションの少なくとも一つと隣接した筒状セクションは、ベースパネル（14）により互いに連結されていることを特徴とする請求項１〜３のいずれかに記載の物品キャリア。
【請求項５】
前記第１、第２パネル（12、16）のそれぞれの一部が互いに重なり合って連結され、整列している筒状セクションは、それぞれに一つの物品（Ｂ）を収容する大きさを有することを特徴とする請求項１〜４のいずれかに記載の物品キャリア。
【請求項６】
前記ベースパネル（14）は異なる大きさの物品を受容するための互いに異なる大きさの複数の開口（６、58）を備えていることを特徴とする請求項１〜５のいずれかに記載の物品キャリア。
【請求項７】
前記第１および／または第２側パネル（12、16）は、筒状セクションから延長して延在し、その延長部分に取っ手が組込まれていることを特徴とする請求項１〜６のいずれかに記載の物品キャリア。
【請求項８】
前記少なくとも一つの筒状セクションと隣接した筒状セクションは、取っ手構造によって互いに連結されていることを特徴とする請求項７に記載の物品キャリア。
【請求項９】
頂部把持式の物品キャリア形成のブランクであって、このブランクは、それぞれに複数の開口（50、52;60、62）を有する第１、第２側パネル（12、16）と、それらを折り曲げ自在に連結する複数の開口（52、58）を有するベースパネル（14）備え、ブランクを組立てるときに、上記第１、第２側パネルを連結することにより、上記第１側パネルの開口は対応する第２側パネルの開口と合致可能であり、上記ブランクは、それぞれの側パネル（12、16）の補足部分を隣接部分の平面外に移すことが可能であり、これによりブランク（10）が異なる大きさの物品を運ぶために適したキャリアを形成できることを特徴とするブランク。
【請求項１０】
前記第１、第２側パネルのいずれか一方には、補強用側パネル（18）が折り曲げ自在に連結され、この補強用側パネルは、第１、第２側パネルにほぼ一致することを特徴とする請求項７に記載のブランク。
【請求項１１】
前記ベースパネルの開口（56、58）の少なくともいくつかは、他の開口と大きさが異なることを特徴とする請求項７また８に記載のブランク。
【発明の詳細な説明】
本発明は、互いに大きさが異なるボルトのような物品を複数梱包するためのカートンに関する。特に、本発明は、物品の頂部を固定して整列に保持する頂部把持式カートンに関する。同じ大きさの物品に対する頂部把持式カートンは従来より提供されている。従来のカートンは一様の形状で形成されている。そのため、頂部把持式カートンの問題点は、異なった大きさや形状の物品に対しては、カートン自身も形状を変えなければならないことである。それに加えて、物品を支えるための剛性と強度も確保されていなければならない。
本発明の一つの特徴によれば、ボトルなどの複数の異なった大きさの物品に適用される頂部把持式の物品キャリアであって、そのカートンは、それぞれに一つの物品を収容する整列した複数の筒状セクションを形成する第１、第２側パネルとこれら側パネルを連結するベースパネルとを備え、上記第側パネルは一対の開口を備え、上記第２側パネルは第１側パネルの開口にそれぞれ合致する開口を備え、上記第１、第２側パネルの対応した開口対の少なくとも一端縁は、所定の操作によってベースパネルを通過する物品の首部に係合することで支持可能とし、さらに、筒状セクションの少なくとも一つは、隣接した筒状セクションと異なる大きさを有する。
本発明のこの特徴の一つの形態によれば、筒状セクションの少なくとも一つの底部は、隣接した筒状セクションの底部と異なる大きさを有する。
本発明のこの特徴の他の形態によれば、筒状セクションの少なく取の一つの側パネルは、隣接した筒状セクションの側パネルと異なる大きさを有する。
本発明のこの特徴のさらに他の形態によれば、筒状セクションの少なくとも一つと隣接した筒状セクションは、ベースパネルにより互いに連結されている。
また、第１、第２パネルのそれぞれの一部が互いに重なり合って連結され、整列している筒状セクションは、それぞれに一つの物品を収容する大きさを有する。さらに、ベースパネルは異なる大きさの物品を受容するための互いに異なる大きさの複数の開口を備えている。
本発明のさらに他の態様によれば、第１および／または第２側パネルは筒状セクションから延長して延在し、その延長部分に取っ手が組込まれている。
本発明のこの特徴の他の形態によれば、少なくとも一つの筒状セクションと隣接した筒状セクションは、取っ手構造によって互いに連結されている。
本発明の他の特徴によれば、頂部把持式の物品キャリア形成のブランクであって、このブランクは、それぞれに複数の開口を有する第１、第２側パネルと、それらを折り曲げ自在に連結する複数の開口を有するベースパネル備え、ブランクを組立てるときに、上記第１、第２側パネルを連結することにより、上記第１側パネルの開口は対応する第２側パネルの開口と合致可能であり、上記ブランクは、それぞれの側パネルの補足部分を隣接部分の平面外に移すことが可能であり、これによりブランクが異なる大きさの物品を運ぶために適したキャリアを形成できることを特徴とする。
本発明の他の態様によれば、第２側パネルのいずれか一方には、補強用側パネルが折り曲げ自在に連結され、この補強用側パネルは、第１、第２側パネルにほぼ一致する。
本発明の他の態様によれば、ベースパネルの開口の少なくともいくつかは、他の開口と大きさが異なる。
本発明の実施例は添付図を参照として以下に記載する。
第１図は、本発明の実施例のカートンのブランクの平面図である。
第２図は、第１図に示すブランクから形成されたカートンを示す図である。
第１図には頂部把持式キャリアを形成するためのブランク10が示され、このブランク10は、ボール紙やそれに類する折り曲げ自在なシート材料で構成されている。ブランクは、折目線30、32の沿ってそれぞれ互いに折り曲げ自在に連結された第１パネル12、ベースパネル14、第２パネル16を備えている。第２パネル16は、補強のための外パネル18に折目線34に沿って折り曲げ自在に連結されている。
第１パネル12は、両外側部に位置する一対の開口50と中央に位置する開口52を備えている。開口52は、折目線100に沿って折り曲げ自在に連結された取っ手タブ20を含んだ形状をしている。折目線36は、開口50を横切り、取っ手タブ20の自由端に沿って延在し、第１パネル12の一端縁から他端縁まで達している。折目線36から折目線30を越えた位置まで延在している切抜き部54が開口52を挟んで対称に配置されている。さらに、切抜き部54の端縁どうしの間には、折目線30と共働する折目線68が延在している。切抜き部54は、カートンが組立てられるときの折り曲げ自在な動きを容易にする。切抜き部54間には、開口52を横切る折目線38が位置している。
第１図に示すように、ベースパネル14には、ほぼ円形の３つの開口56、58が一列状に形成されている。カートンが組立てられたときに、開口56は、開口58に支持されているボトルよりも大きな直径のボトルを収容できる。ベースパネル14の一端縁から他端縁に延在している折目線40は、開口56、58の中心を通っている。
第２パネル16は、両外側部に位置する一対の開口60と中央に位置する開口62を備えている。開口62は、折目線102に沿って折り曲げ自在に連結された取っ手タブ22を含んだ形状をしている。開口60を横切り、取っ手タブ22の自由端に沿う３本の折目線42が第２パネル16の一端縁から他端縁まで達している。折目線42から折目線32を越えた位置まで延在している切れ線72が開口62を挟んで対称に配置されている。さらに、切れ線72の端縁どうしの間には、折目線32と共働する折目線70が延在している。切れ線72間には、開口62を横切る折目線44が配置されている。
外側の第１パネル18は、両外側部に位置する一対の開口64と中央に位置する開口66を備えている。開口66は、折目線104に沿って折り曲げ自在に連結された取っ手タブ24を含んだ形状をしている。開口64を横切り、取っ手タブ24の自由端に沿う３本の折目線46が外側の第１パネル18の一端縁から他端縁まで達している。折目線46から、しかるべき形状に形成されたパネル18の外側縁まで延在している切れ線74が開口66を挟んで対称に配置されている。切れ線74間には開口66を横切る折目線48が配置されている。
開口50と開口56の間および開口52と開口58の間には、それぞれ切除可能なタブ26が設けられている。
開口64、66と外側の第１パネル18の外側縁の間には、切除可能なタブ28が設けられている。カートンが組立てられた状態では、タブ26は対応するタブ28と合致して重なり合う。
第２図は、ほぼ組立てられた状態のカートンを示す。カートンの組立てに際しては、まず、第１パネル１とベースパネル14が折目線30に沿って折り曲げられ、第２パネル16とベースパネル14が折目線32に沿って折り曲げられることにより、第１、第２、ベースパネル間で三角形が形成される。補強のための外側パネル18は、第１パネル12と重なり合うように折目線34に沿って折り曲げられ、開口64と66は、それぞれ開口50と52と合致させられる。パネル12、18は、接着剤や他の適当な手法により互いに連結される。
第１パネル12の折目線36とその外側縁の間の部分は、それに対応する第２パネル16の折目線34と折目線42間の部分と重ね合わされ、接着剤や他の適当な手法によって接続され、これにより、開口50、52と60、62が互いに合致させられる。
第１パネル12の折目線36と折目線38間の部分は、それに対応する第２パネル16の折目線42と折目線44間の部分と重ね合わされ、接着剤や他の適当な手法によって接続される。
上記のパネルの連結によって、カートンは第２図のようなキール構造Ｋを持つ組立て状態を維持している。キール構造Ｋは異なった大きさのボトルＢのための３つの分離した筒状セクションを備えている。物品は、支持開口56、58を通して挿入され、開口50、52、60、62、64、66の下端がボトルＢの頂部やフランジの下側部のそれぞれに係合することで、カートンに把持される。
本発明およびその好適な実施例は、強度が要求される部分をボール紙の二層構造とすることで充分な剛性を有するように形成されたカートンに関する。ブランク形状は、ボール紙の使用量を少なくするように必要最小限の幅とされている。このカートンは、ボトルの列に対して手作業または自動機により装着される。
【図１】
0003577086.tif 000002
【図２】
0003577086.tif 000003